(57)【要約】【課題】  本発明は、車載用電子機器の製品設計自由度を高めることを目的とする。【解決手段】そして、この目的を達成するために本発明は、光ディスク５駆動用のスピンドルモータ６と、このスピンドルモータ６光ディスク５からのデータの読み取りを行う光ピックアップ７と、この光ピックアップ７の動作制御、およびこの光ピックアップ７で読み取られらデータの復調、および前記スピンドルモータ６の動作制御を行う制御手段９と、この制御手段９が実装された制御基板２６とを備え、前記制御基板２６において、制御手段９と光ピックアップ７を結ぶ信号線路２３、２４、２５と、前記制御手段９とスピンドルモータ６を結ぶ信号線路２２の、少なくとも一方は、その配線方向に対して左右に連続的に湾曲する蛇行状とした。【選択図】図２
2012074537.tif 000002
【特許請求の範囲】
【請求項１】
光ディスクの駆動手段と、この駆動手段で駆動される光ディスクからのデータの読み取りを行う光ピックアップと、この光ピックアップの動作制御、およびこの光ピックアップで読み取られらデータの復調、および前記駆動手段の動作制御を行う制御手段と、この制御手段が実装された制御基板とを備え、前記制御基板において、制御手段と光ピックアップを結ぶ信号線路と、前記制御手段と駆動手段を結ぶ信号線路の、少なくとも一方は、その配線方向に対して左右に連続的に湾曲する蛇行状とした車載用電子機器。
【請求項２】
前記制御基板において、制御手段と光ピックアップを結ぶ信号線路と、前記制御手段と駆動手段を結ぶ信号線路を、その配線方向に対して左右に連続的に湾曲する蛇行状とするとともに、これらの両信号線路は、前記制御基板に平行状態で配線された請求項１に記載の車載用電子機器。
【発明の詳細な説明】
【技術分野】
【０００１】
本発明は、車載用電子機器に関するものである。
【背景技術】
【０００２】
従来のこの種、車載用電子機器の構成は、以下のようなものとなっていた。
【０００３】
すなわち、光ディスクの駆動手段と、この駆動手段で駆動される光ディスクからのデータの読み取りを行う光ピックアップと、この光ピックアップの動作制御、およびこの光ピックアップで読み取られらデータの復調、および前記駆動手段の動作制御を行う制御手段と、この制御手段が実装された制御基板とを備えている。
【０００４】
また、前記制御基板において、制御手段と光ピックアップを結ぶ信号線路や、前記制御手段と駆動手段を結ぶ信号線路の近傍にはノイズトラップパターンを設けている。
【０００５】
すなわち、携帯電話などからのノイズが、制御手段と光ピックアップを結ぶ信号線路や、前記制御手段と駆動手段を結ぶ信号線路に侵入するのを、ノイズトラップパターンによって抑制しようとしているのである（これに類似する先行文献としては下記特許文献１が存在する）。
【先行技術文献】
【特許文献】
【０００６】
【特許文献１】実開昭６３−１０８６６６号公報
【発明の概要】
【発明が解決しようとする課題】
【０００７】
前記従来例における課題は、制御基板が大きくなるので、その制御基板の実装位置が限定され、それにともない製品設計自由度も限定されてしまうと言うことである。
【０００８】
すなわち、従来例においては、上述のごとく、携帯電話などからのノイズが、制御部と光ピックアップを結ぶ信号線路や、前記制御部と駆動手段を結ぶ信号線路に侵入するのを抑制するために、ノイズトラップパターンを別個に設けているので、その分、制御基板が大きくなってしまう。
【０００９】
そして、このように制御基板が大きくなると、その制御基板の実装位置が限定され、それにともない製品設計自由度も限定されてしまうと言うことである。
【００１０】
そこで、本発明は、製品設計自由度を高めることが出来るようにすることを目的とするものである。
【課題を解決するための手段】
【００１１】
そして、この目的を達成するために本発明は、光ディスクの駆動手段と、この駆動手段で駆動される光ディスクからのデータの読み取りを行う光ピックアップと、この光ピックアップの動作制御、およびこの光ピックアップで読み取られらデータの復調、および前記駆動手段の動作制御を行う制御手段と、この制御手段が実装された制御基板とを備え、前記制御基板において、制御手段と光ピックアップを結ぶ信号線路と、前記制御手段と駆動手段を結ぶ信号線路の、少なくとも一方は、その配線方向に対して左右に連続的に湾曲する蛇行状とし、これによって所期の目的を達成するものである。
【発明の効果】
【００１２】
以上のように本発明は、光ディスクの駆動手段と、この駆動手段で駆動される光ディスクからのデータの読み取りを行う光ピックアップと、この光ピックアップの動作制御、およびこの光ピックアップで読み取られらデータの復調、および前記駆動手段の動作制御を行う制御手段と、この制御手段が実装された制御基板とを備え、前記制御基板において、制御手段と光ピックアップを結ぶ信号線路と、前記制御手段と駆動手段を結ぶ信号線路の、少なくとも一方は、その配線方向に対して左右に連続的に湾曲する蛇行状としたものであるので、製品設計自由度を高めることが出来る。
【００１３】
すなわち、本発明においては、前記制御基板において、制御手段と光ピックアップを結ぶ信号線路と、前記制御手段と駆動手段を結ぶ信号線路の、少なくとも一方は、その配線方向に対して左右に連続的に湾曲する蛇行状としたもの、つまりノイズの侵入を抑制するためのノイズトラップパターン等を別個に設ける必要が無いので、その分、制御基板が大きくなることは無く、その結果として、製品設計自由度を高めることが出来るのである。
【図面の簡単な説明】
【００１４】
【図１】本発明の一実施形態にかかる車載用電子機器を搭載した車内の正面側の斜視図
【図２】同車載用電子機器の制御ブロック図
【図３】同作用を説明するための図
【発明を実施するための形態】
【００１５】
（実施の形態１）
以下、本発明の実施の形態１を、添付図面を用いて説明する。
【００１６】
図１において、１は車両の車内を示し、そのフロント部分には、ハンドル２が設けられ、またこのハンドル２の側方のコンソールボックス３部分には車載用電子機器４が設置されている。
【００１７】
車載用電子機器４は、図２に示すように、光ディスク５の駆動手段の一例として設けたスピンドルモータ６と、このスピンドルモータ６で駆動される光ディスク５からのデータの読み取りを行う光ピックアップ７と、前記光ディスク５の挿排出を行う挿排出モータ８と、前記光ピックアップ７の動作制御、およびこの光ピックアップ７で読み取られらデータの復調、前記挿排出モータ８の動作制御、および前記スピンドルモータ６の動作制御を行う制御手段９と、この制御手段９が実装された制御基板（図３の２６）とを備えている。
【００１８】
制御手段９は、本実施形態においては、半導体素子によって形成されており、その内部には、制御部１０を備えている。
【００１９】
また、制御部１０には、サーボ制御回路１１が接続され、このサーボ制御回路１１に前記スピンドルモータ６と、レーザ駆動回路１２と、増幅回路１３と、前記光ピックアップ７内のレンズ１４の駆動部（図示せず）が接続されている。
【００２０】
また、レーザ駆動回路１２には、前記光ピックアップ７内のレーザダイオード１５が接続されている。
【００２１】
さらに、増幅回路１３には、前記光ピックアップ７内の検出器１６が接続され、この検出器１６で読み取った光ディスク５のデータは、増幅回路１３で増幅後、信号処理回路１
７で復調され、続いて音声処理回路１８で処理され、その後、増幅器１９を介してスピーカ２０出力されるようになっている。
【００２２】
また、制御部１０と挿排出モータ８は駆動回路８ａを介して接続されている。
【００２３】
以上の構成、および作用は周知のものであるので、説明の煩雑化を避けるために、これ以上の動作説明は、省略する。
【００２４】
さて、本実施形態における特徴点は、図２における、光ディスク５、スピンドルモータ６、光ピックアップ７、挿排出モータ８以外のものを制御基板（図３の２６）に配置したことである
具体的には、制御基板（図３の２６）には、半導体素子によって構成された制御手段９と、レーザ駆動回路１２、増幅器１９が実装されている、
また、駆動回路８ａと挿排出モータ８を接続した信号線路２１、サーボ制御回路１１とスピンドルモータ６を接続した信号線路２２、レーザ駆動回路１２とレーザダイオード１５を接続した信号線路２３、サーボ制御回路１１とレンズ１４の駆動部（図示せず）を接続した信号線路２４、増幅回路１３と検出器１６を接続した信号線路２５は、何れも図３のごとく、前記制御基板２６において、その配線方向に対して左右に連続的に湾曲する蛇行状とした導線パターン（図３では代表して信号線路２５）によって形成している。
【００２５】
また、図３では図示していないが、前記信号線路２１、２２、２３、２４、２５は、前記制御基板２６に平行状態で配線されている。
【００２６】
さて、この図３において、２７は例えば車内１に存在する携帯電話のアンテナを示しており、このアンテナ２７からは実線２８のような電界が発生し、この電界によって各信号線路２１、２２、２３、２４、２５には矢印のような電流が誘起され、これが従来では、各信号線路２１、２２、２３、２４、２５に対するノイズとなっていた。なお、破線２９は磁界を示している。
【００２７】
しかしながら本実施形態では、図３に示すように、信号線路２１、２２、２３、２４、２５は、その配線方向に対して左右に連続的に湾曲する蛇行状とした導線パターンによって形成しているので、前記電界に平行な部分では、矢印３０、３１、３２のごとく、隣接するものは、お互いに逆方向の電流が誘起される状態となり、その結果このような誘起電流は打ち消しあい、結論として、ノイズの侵入が抑制されることとなる。
【００２８】
また、本実施形態では、ノイズの侵入を抑制するためのノイズトラップパターン等を別個に設ける必要が無いので、その分、制御基板２６が大きくなることは無く、その結果として、製品設計自由度を高めることが出来るのである。
【産業上の利用可能性】
【００２９】
以上のように本発明は、光ディスクの駆動手段と、この駆動手段で駆動される光ディスクからのデータの読み取りを行う光ピックアップと、この光ピックアップの動作制御、およびこの光ピックアップで読み取られらデータの復調、および前記駆動手段の動作制御を行う制御手段と、この制御手段が実装された制御基板とを備え、前記制御基板において、制御手段と光ピックアップを結ぶ信号線路と、前記制御手段と駆動手段を結ぶ信号線路の、少なくとも一方は、その配線方向に対して左右に連続的に湾曲する蛇行状としたものであるので、製品設計自由度を高めることが出来る。
【００３０】
すなわち、本発明においては、前記制御基板において、制御手段と光ピックアップを結ぶ信号線路と、前記制御手段と駆動手段を結ぶ信号線路の、少なくとも一方は、その配線
方向に対して左右に連続的に湾曲する蛇行状としたもの、つまりノイズの侵入を抑制するためのノイズトラップパターン等を別個に設ける必要が無いので、その分、制御基板が大きくなることは無く、その結果として、製品設計自由度を高めることが出来るのである。
【００３１】
したがって、車載用電子機器として広く活用されるものとなる。
【符号の説明】
【００３２】
１  車内
２  ハンドル
３  コンソールボックス
４  車載用電子機器
５  光ディスク
６  スピンドルモータ
７  光ピックアップ
８  挿排出モータ
８ａ  駆動回路
９  制御手段
１０  制御部
１１  サーボ制御回路
１２  レーザ駆動回路
１３  増幅回路
１４  レンズ
１５  レーザダイオード
１６  検出器
１７  信号処理回路
１８  音声処理回路
１９  増幅器
２０  スピーカ
２１，２２，２３，２４，２５  信号線路
２６  制御基板
２７  アンテナ
２８  実線
２９  破線
３０，３１，３１  矢印
【図１】
2012074537.tif 000003
【図２】
2012074537.tif 000004
【図３】
2012074537.tif 000005